(57)【要約】  【課題】  ２つの磁石の一方を他方に対して移動させるときの磁気的な抵抗力を従来より低減することができる移動磁石装置を提供する。  【解決手段】  磁気ガイド装置１０は、アクチュエータによって移動させられるスライダ２０と、スライダ２０を接触によって矢印１０ａ、１０ｂで示す方向にガイドするガイド部材３０と、矢印１０ａ、１０ｂで示す方向とは略直交する矢印１０ｃで示す方向に磁化されてスライダ２０に固定された磁石４０と、矢印１０ｃで示す方向に磁化されて矢印１０ｃで示す方向に磁石４０に対向してガイド部材３０に固定された磁石５０とを備え、磁石４０は、磁石５０から受ける磁気力１１によってスライダ２０をガイド部材３０側に付勢し、矢印１０ａ、１０ｂで示す方向において磁石５０の一端５０ａより磁石５０の他端５０ｂ側及び磁石５０の他端５０ｂより磁石５０の一端５０ａ側に常に位置する。【選択図】  図２
2006097860.tif 000002
【特許請求の範囲】
【請求項１】
第１方向に磁化された第１磁石と、前記第１方向と略同一の方向に磁化されて前記第１方向と略同一の方向に前記第１磁石に対向した第２磁石とを備え、
前記第１磁石及び前記第２磁石の一方は、前記第１方向とは略直交する第２方向に前記第１磁石及び前記第２磁石の他方に対して移動可能であり、
前記第２磁石は、前記第２方向において前記第１磁石の一端より前記第１磁石の他端側及び前記他端より前記一端側に常に位置することを特徴とする移動磁石装置。
【請求項２】
前記第１磁石及び前記第２磁石の一方に固定されて前記一方と共に前記第１磁石及び前記第２磁石の他方に対して前記第２方向に移動可能な移動部材と、前記他方に固定されて前記移動部材を接触によって前記第２方向にガイドするガイド部材とを備え、
前記一方は、前記他方から受ける磁気力によって前記移動部材を前記ガイド部材側に付勢したことを特徴とする請求項１に記載の移動磁石装置。
【請求項３】
前記第１磁石及び前記第２磁石の一方を前記第２方向に機械的に駆動する駆動装置を備えたことを特徴とする請求項１に記載の移動磁石装置。
【請求項４】
請求項１から請求項３までの何れかに記載の移動磁石装置と、
光線の光路に挿入されることによって前記光路を切り換える光路切換部材とを備え、
前記光路切換部材は、前記第１磁石及び前記第２磁石の一方に対して固定されて、前記移動磁石装置によって前記光路に挿抜されることを特徴とする光スイッチ。
【発明の詳細な説明】
【技術分野】
【０００１】
本発明は、第１方向に磁化された第１磁石と、第１方向と略同一の方向に磁化されて第１方向と略同一の方向に第１磁石に対向した第２磁石とを備え、第１方向とは略直交する第２方向に第１磁石に対して第２磁石が移動可能な移動磁石装置に関するものである。
【背景技術】
【０００２】
従来、移動磁石装置として、図１０に示すように、図示していないアクチュエータによって移動させられるスライダ１２０と、スライダ１２０を接触によって矢印１１０ａ、１１０ｂで示す方向にガイドするガイド部材１３０と、矢印１１０ａ、１１０ｂで示す方向とは略直交する矢印１１０ｃで示す方向に磁化されてスライダ１２０に固定された磁石１４０と、矢印１１０ｃで示す方向に磁化されてガイド部材１３０に固定された磁石１５０とを備え、磁石１５０から磁石１４０が受ける磁気力１１１のうち矢印１１０ｃで示す方向の分力１１１ａによってスライダ１２０をガイド部材１３０側に付勢する磁気ガイド装置１１０が知られている（例えば特許文献１参照。）。
【特許文献１】特開２００３−２５５２４０号公報（第８頁、第７図）
【発明の開示】
【発明が解決しようとする課題】
【０００３】
しかしながら、従来の移動磁石装置においては、磁石１５０に対して磁石１４０を移動させるときの磁気的な抵抗力が大きいという問題があった。
【０００４】
即ち、アクチュエータによってスライダ１２０を矢印１１０ａ、１１０ｂで示す方向に移動させるとき、アクチュエータには、磁石１５０から磁石１４０が受ける磁気力１１１のうち矢印１１０ａ、１１０ｂで示す方向の分力１１１ｂが磁気的な抵抗力としてかかる。
【０００５】
ここで、磁気力１１１の分力１１１ｂは、ガイド部材１３０に対するスライダ１２０の位置に対して、図１１に示すようになる。ここで、図１１において、磁気力１１１の分力１１１ｂは、矢印１１０ａで示す方向を負、矢印１１０ｂで示す方向を正として表している。また、図１１において、ガイド部材１３０に対するスライダ１２０の位置は、図１０に示すようにガイド部材１３０に対するスライダ１２０の移動範囲の矢印１１０ｂで示す方向の端の位置を“０”とし、図１２に示すようにガイド部材１３０に対するスライダ１２０の移動範囲の中間の位置を“０．５”とし、図１３に示すようにガイド部材１３０に対するスライダ１２０の移動範囲の矢印１１０ａで示す方向の端の位置を“１”として表している。
【０００６】
本発明は、従来の問題を解決するためになされたもので、２つの磁石の一方を他方に対して移動させるときの磁気的な抵抗力を従来より低減することができる移動磁石装置を提供することを目的とする。
【課題を解決するための手段】
【０００７】
本発明の移動磁石装置は、第１方向に磁化された第１磁石と、前記第１方向と略同一の方向に磁化されて前記第１方向と略同一の方向に前記第１磁石に対向した第２磁石とを備え、前記第１磁石及び前記第２磁石の一方は、前記第１方向とは略直交する第２方向に前記第１磁石及び前記第２磁石の他方に対して移動可能であり、前記第２磁石は、前記第２方向において前記第１磁石の一端より前記第１磁石の他端側及び前記他端より前記一端側に常に位置する構成を有している。
【０００８】
この構成により、本発明の移動磁石装置は、第１磁石及び第２磁石の一方が他方から受ける磁気力のうち第２方向の分力の大きさを従来より低減するので、２つの磁石の一方を他方に対して移動させるときの磁気的な抵抗力を従来より低減することができる。
【０００９】
また、本発明の移動磁石装置は、前記第１磁石及び前記第２磁石の一方に固定されて前記一方と共に前記第１磁石及び前記第２磁石の他方に対して前記第２方向に移動可能な移動部材と、前記他方に固定されて前記移動部材を接触によって前記第２方向にガイドするガイド部材とを備え、前記一方は、前記他方から受ける磁気力によって前記移動部材を前記ガイド部材側に付勢した構成を有している。
【００１０】
この構成により、本発明の移動磁石装置は、第１磁石及び第２磁石の一方が他方から受ける磁気力によって移動部材をガイド部材側に付勢するので、第２方向に移動部材をガイド部材によって高精度にガイドすることができる。
【００１１】
また、本発明の移動磁石装置は、前記第１磁石及び前記第２磁石の一方を前記第２方向に機械的に駆動する駆動装置を備えた構成を有している。
【００１２】
この構成により、本発明の移動磁石装置は、第１磁石及び第２磁石の一方が他方から受ける磁気力のうち第１方向と略同一の方向の分力によって、駆動装置の機械的なガタのうち第１方向と略同一の方向のガタを低減することができる。
【００１３】
また、本発明の光スイッチは、移動磁石装置と、光線の光路に挿入されることによって前記光路を切り換える光路切換部材とを備え、前記光路切換部材は、前記第１磁石及び前記第２磁石の一方に対して固定されて、前記移動磁石装置によって前記光路に挿抜される構成を有している。
【００１４】
この構成により、本発明の光スイッチは、光線の光路に光路切換部材として例えば直角プリズムを挿抜することによって光路を切り換えることができる。
【発明の効果】
【００１５】
本発明は、２つの磁石の一方を他方に対して移動させるときの磁気的な抵抗力を従来より低減することができる移動磁石装置を提供することができるものである。
【発明を実施するための最良の形態】
【００１６】
以下、本発明の実施の形態について、図面を用いて説明する。
【００１７】
（第１の実施の形態）
まず、第１の実施の形態に係る移動磁石装置の構成について説明する。
【００１８】
図１及び図２に示すように、本実施の形態に係る移動磁石装置としての磁気ガイド装置１０は、図示していないアクチュエータによって移動させられる移動部材としてのスライダ２０と、スライダ２０を接触によって矢印１０ａ、１０ｂで示す方向にガイドするガイド部材３０と、矢印１０ａ、１０ｂで示す方向とは略直交する矢印１０ｃで示す方向に磁化されてスライダ２０に固定された磁石４０と、矢印１０ｃで示す方向に磁化されて矢印１０ｃで示す方向に磁石４０に対向してガイド部材３０に固定された磁石５０と、スライダ２０に固定された光路切換部材としての直角プリズム６０とを備えており、光線の光路に直角プリズム６０を挿抜することによって光路を切り換える図示していない光スイッチに使用されている。ここで、矢印１０ｃで示す方向、矢印１０ａ、１０ｂで示す方向、磁石５０、磁石４０は、それぞれ第１方向、第２方向、第１磁石、第２磁石を構成している。
【００１９】
スライダ２０は、アクチュエータに接続される接続部２１と、磁石４０及び直角プリズム６０が固定された固定部２２とを有している。
【００２０】
また、ガイド部材３０は、スライダ２０の固定部２２が摺動可能に挿入されたスライダ挿入溝３１と、磁石４０が移動可能に挿入された磁石挿入溝３２と、磁石５０が圧入された磁石圧入溝３３とが形成されている。
【００２１】
また、磁石４０は、磁石５０から受ける磁気力１１のうち矢印１０ｃで示す方向の分力１１ａによってスライダ２０をガイド部材３０側に付勢している。また、磁石４０は、図２から図４までに示すように、矢印１０ａ、１０ｂで示す方向において、磁石５０の一端５０ａより磁石５０の他端５０ｂ側及び磁石５０の他端５０ｂより磁石５０の一端５０ａ側に常に位置している。即ち、矢印１０ａ、１０ｂで示す方向において、磁石４０の一端４０ａは、磁石５０の一端５０ａより磁石５０の他端５０ｂ側に常に位置しており、磁石４０の他端４０ｂは、磁石５０の他端５０ｂより磁石５０の一端５０ａ側に常に位置している。
【００２２】
次に、磁気ガイド装置１０の動作について説明する。
【００２３】
磁気ガイド装置１０は、磁石５０から磁石４０が受ける磁気力１１の分力１１ａによってスライダ２０をガイド部材３０側に付勢することによって、スライダ２０と、ガイド部材３０とを圧接するので、アクチュエータによってスライダ２０を矢印１０ａ、１０ｂで示す方向に移動させるとき、矢印１０ａ、１０ｂで示す方向にスライダ２０をガイド部材３０によって高精度にガイドすることができる。
【００２４】
なお、アクチュエータによってスライダ２０を矢印１０ａ、１０ｂで示す方向に移動させるとき、アクチュエータには、磁石５０から磁石４０が受ける磁気力１１のうち矢印１０ａ、１０ｂで示す方向の分力１１ｂが磁気的な抵抗力としてかかる。
【００２５】
ここで、磁気力１１の分力１１ｂは、ガイド部材３０に対するスライダ２０の位置に対して、図５に示すようになる。ここで、図５において、磁気力１１の分力１１ｂは、矢印１０ａで示す方向を負、矢印１０ｂで示す方向を正として表している。また、図５において、ガイド部材３０に対するスライダ２０の位置は、図２に示すようにガイド部材３０に対するスライダ２０の移動範囲の矢印１０ｂで示す方向の端の位置を“０”とし、図３に示すようにガイド部材３０に対するスライダ２０の移動範囲の中間の位置を“０．５”とし、図４に示すようにガイド部材３０に対するスライダ２０の移動範囲の矢印１０ａで示す方向の端の位置を“１”として表している。磁気ガイド装置１０は、矢印１０ａ、１０ｂで示す方向において、磁石５０の一端５０ａより磁石５０の他端５０ｂ側であり磁石５０の他端５０ｂより磁石５０の一端５０ａ側に磁石４０が常に位置しているので、磁気力１１の分力１１ｂの大きさを図５に示すように従来より低減することができ、磁石４０を磁石５０に対して移動させるときの磁気的な抵抗力を従来より低減することができる。
【００２６】
なお、磁気ガイド装置１０は、磁石４０及び磁石５０のＮ極、Ｓ極の向きが矢印１０ｃで示す方向であって同じ向きに磁化されていることによって、磁石５０から磁石４０が受ける磁気力１１として、吸引力によってスライダ２０をガイド部材３０側に付勢するようになっているが、図６及び図７に示すように、磁石４０及び磁石５０のＮ極、Ｓ極の向きが矢印１０ｃで示す方向であって逆向きに磁化されていることによって、磁石５０から磁石４０が受ける磁気力１１として、反発力によってスライダ２０をガイド部材３０側に付勢するようになっていても良い。
【００２７】
また、磁気ガイド装置１０は、磁石４０及び磁石５０が共に矢印１０ｃで示す方向に磁化されているが、磁石４０が磁化されている方向と、磁石５０が磁化されている方向とが多少ずれていても良い。
【００２８】
また、矢印１０ａ、１０ｂで示す方向における磁石４０の長さは、磁石５０から磁石４０が受ける磁気力１１の分力１１ａによってスライダ２０をガイド部材３０側に十分に付勢することができる範囲内で、短く設計されることが好ましい。
【００２９】
（第２の実施の形態）
まず、第２の実施の形態に係る移動磁石装置の構成について説明する。
【００３０】
なお、本実施の形態に係る移動磁石装置の構成のうち第１の実施の形態に係る磁気ガイド装置１０（図１及び図２参照。）の構成と同様な構成については、磁気ガイド装置１０の構成と同一の符号を付して詳細な説明を省略する。
【００３１】
図８及び図９に示すように、本実施の形態に係る移動磁石装置７０は、磁石５０を固定した固定部材８０と、矢印１０ａ、１０ｂで示す方向に磁石４０を機械的に駆動する駆動装置としてのアクチュエータ９０とを、ガイド部材３０（図１及び図２参照。）に代えて磁気ガイド装置１０が備えた構成と同様である。
【００３２】
固定部材８０は、磁石５０が圧入された磁石圧入溝８１が形成されている。
【００３３】
また、アクチュエータ９０は、固定部材８０に対して固定された本体９１と、回転軸９２ａ及び回転軸９２ｂを有したバー９２とを有している。ここで、本体９１は、回転軸９２ａを中心に矢印９０ａで示す方向に回動可能にバー９２を駆動するようになっている。また、バー９２は、回転軸９２ｂを中心に矢印９０ｂで示す方向にスライダ２０の接続部２１に回動可能に接続されている。
【００３４】
次に、移動磁石装置７０の動作について説明する。
【００３５】
移動磁石装置７０は、磁石５０から磁石４０が受ける磁気力１１の分力１１ａによってアクチュエータ９０のバー９２を矢印１０ｃで示す方向の磁石５０側に引っ張るので、アクチュエータ９０の機械的なガタのうち矢印１０ｃで示す方向のガタを低減することができる。
【００３６】
また、移動磁石装置７０は、第１の実施の形態に係る磁気ガイド装置１０と同様に、矢印１０ａ、１０ｂで示す方向において、磁石５０の一端５０ａより磁石５０の他端５０ｂ側及び磁石５０の他端５０ｂより磁石５０の一端５０ａ側に磁石４０が常に位置しているので、磁気力１１の分力１１ｂの大きさを従来より低減することができ、磁石４０を磁石５０に対してアクチュエータ９０によって移動させるときの磁気的な抵抗力を従来より低減することができる。
【産業上の利用可能性】
【００３７】
以上のように、本発明に係る移動磁石装置は、２つの磁石の一方を他方に対して移動させるときの磁気的な抵抗力を従来より低減することができるという効果を有し、光情報ネットワーク、光ＬＡＮ（Ｌｏｃａｌ  Ａｒｅａ  Ｎｅｔｗｏｒｋ）等の光通信分野に使用される光デバイス、光スイッチ、光可変アッテネータ等に使用される磁気ガイド装置等として有用である。
【図面の簡単な説明】
【００３８】
【図１】本発明の第１の実施の形態に係る磁気ガイド装置の上面図
【図２】アクチュエータによってスライダを移動させるときにガイド部材に対する移動範囲の一端にスライダが位置する場合の図１に示す磁気ガイド装置の側面断面図
【図３】アクチュエータによってスライダを移動させるときにガイド部材に対する移動範囲の中間にスライダが位置する場合の図１に示す磁気ガイド装置の側面断面図
【図４】アクチュエータによってスライダを移動させるときにガイド部材に対する移動範囲の他端にスライダが位置する場合の図１に示す磁気ガイド装置の側面断面図
【図５】ガイド部材に対するスライダの位置と、ガイド部材に固定された磁石からスライダに固定された磁石が受ける磁気力のうちガイド部材がスライダをガイドする方向の分力との図１に示す磁気ガイド装置における関係を示す図
【図６】反発力によってスライダをガイド部材側に付勢する態様での本発明の第１の実施の形態に係る磁気ガイド装置の上面図
【図７】アクチュエータによってスライダを移動させるときにガイド部材に対する移動範囲の一端にスライダが位置する場合の図６に示す磁気ガイド装置の側面断面図
【図８】本発明の第２の実施の形態に係る移動磁石装置の上面図
【図９】アクチュエータによってスライダを移動させるときに固定部材に対する移動範囲の一端にスライダが位置する場合の図８に示す移動磁石装置の側面断面図
【図１０】アクチュエータによってスライダを移動させるときにガイド部材に対する移動範囲の一端にスライダが位置する場合の従来の磁気ガイド装置の側面断面図
【図１１】ガイド部材に対するスライダの位置と、ガイド部材に固定された磁石からスライダに固定された磁石が受ける磁気力のうちガイド部材がスライダをガイドする方向の分力との図１０に示す磁気ガイド装置における関係を示す図
【図１２】アクチュエータによってスライダを移動させるときにガイド部材に対する移動範囲の中間にスライダが位置する場合の図１０に示す磁気ガイド装置の側面断面図
【図１３】アクチュエータによってスライダを移動させるときにガイド部材に対する移動範囲の他端にスライダが位置する場合の図１０に示す磁気ガイド装置の側面断面図
【符号の説明】
【００３９】
１０  磁気ガイド装置（移動磁石装置）
１１  磁気力
２０  スライダ（移動部材）
３０  ガイド部材
４０  磁石（第２磁石）
５０  磁石（第１磁石）
５０ａ  一端
５０ｂ  他端
６０  直角プリズム（光路切換部材）
７０  移動磁石装置
９０  アクチュエータ（駆動装置）
【図１】
2006097860.tif 000003
【図２】
2006097860.tif 000004
【図３】
2006097860.tif 000005
【図４】
2006097860.tif 000006
【図５】
2006097860.tif 000007
【図６】
2006097860.tif 000008
【図７】
2006097860.tif 000009
【図８】
2006097860.tif 000010
【図９】
2006097860.tif 000011
【図１０】
2006097860.tif 000012
【図１１】
2006097860.tif 000013
【図１２】
2006097860.tif 000014
【図１３】
2006097860.tif 000015